(57)【要約】本発明は、ＴＶセット、オーディオシステム、コンピュータなど電気製品に設けられて制御回路のオフ信号によりプラグを介して印加される外部電源が完全遮断（２極遮断）されるようにすることによりコンセントにおいてプラグを分離したのと同じ効果を奏して待機電力（微細電力）の消耗をなくし、電源のオンされるときに電気製品本体に２極の端子が同時に接点時に発生可能なスパーク及び電気製品の電気的衝撃を防止するように接点が順次的となる待機電力遮断用スイッチを提供する。このような待機電力遮断用スイッチは、ハウジング１２、オンボタン１４、入力端子台２０、開閉ユニット４０、出力端子台１００及びオフユニット１１０を備えてなる。このとき、開閉ユニット４０は第２入力端子２４と接点される第２開閉端子４４を有し、第１入力端子２２と接点される第１開閉端子４２を有し、第２開閉端子４４及び第１開閉端子４２が第２入力端子２４及び第１入力端子２２とそれぞれ接点及び分離されるようにする。さらに、遅延ユニット８０を介して電気製品の電源を入れるとき、まず第１入力端子２２と第１出力端子１０２が電気的に連結接続され、第２出力端子１０４が第２入力端子２４と電気的に連結接続されるようにすることにより電気製品に２極が同時に接点時に端子において発生可能なスパーク及び電気製品に電気的衝撃を防止することができる。【選択図】図１
2011503796.tif 000002
【特許請求の範囲】
【請求項１】
電気製品に設けられてオフ時にプラグ１を介して印加される外部電源を完全遮断せしめるための待機電力遮断用スイッチにおいて、
前記電気製品に固定されるハウジング１２と、
前記ハウジング１２内において前記プラグ１の第２電線３と接続される第２入力端子２４を有し、前記ハウジング１２内において前記プラグ１の第１電線２と接続される第１入力端子２２を有する入力端子台２０と、
前記ハウジング１２内に設けられ、前記第２入力端子２４と接点される第２開閉端子４４を有し、前記第１入力端子２２と接点される第１開閉端子４２を有し、前記第２開閉端子４４及び第１開閉端子４２と前記第２入力端子２４及び第１入力端子２２をそれぞれ接点及び分離するための開閉ユニット４０と、
前記ハウジング１２に摺動可能に結合されてユーザーにより押されたときに前記開閉ユニット４０を作動させて前記第２開閉端子４４及び第１開閉端子４２と前記第２入力端子２４及び第１入力端子２２をそれぞれ接点させた後に元の位置に戻るオンボタンと、
前記ハウジング１２内において前記開閉ユニット４０の第２開閉端子４４と電気的に接続するように前記電気製品の内側に延びる内部電源ライン５の第２電線７と接続される第２出力端子１０４を有し、前記ハウジング１２内において前記開閉ユニット４０の第１開閉端子４２と電気的に接続するように前記電気製品の内側に延びる内部電源ライン５の第１電線６と接続される第１出力端子１０２を有する出力端子台１００と、
前記ハウジング１２に設けられて前記開閉ユニット４０の第２開閉端子４４及び第１開閉端子４２が前記第２入力端子２４及び第１入力端子２２とそれぞれ接点された状態で前記開閉ユニット４０を作動させることにより、前記第２開閉端子４４及び第１開閉端子４２を前記第２入力端子２４及び第１入力端子２２と同時にそれぞれ分離させるオフユニット１１０と、
前記第２入力端子２４と第２出力端子１０４との間に設けられ、前記オンボタン１４が押されたときに前記開閉ユニット４０よりも先に作動されて前記開閉ユニット４０が作動されても前記第２入力端子２４と第２出力端子１０４が電気的に接続できないようにし、前記オンボタン１４が押されて前記開閉ユニット４０が作動し前記第１入力端子２２と第１出力端子１０２が電気的に接続された後、前記オンボタン１４が元の位置に戻るときに前記第２入力端子２４と第２出力端子１０４が電気的に接続されるようにすることにより、前記第一出力端子１０２及び前記第二出力端子１０４が時間差をおいて順次に内部電源ライン５に接続されるようにする遅延ユニット８０と、
を備えることを特徴とする待機電力遮断用スイッチ。
【請求項２】
前記入力端子台２０の前記第２入力端子２４と第１入力端子２２は前記オンボタン１４の摺動方向に対して垂直に配設され、前記開閉ユニット４０の前記第２開閉端子４４と第１開閉端子４２は前記オンボタン１４の摺動方向に対して垂直に配設されるが、前記第２開閉端子４４の一方の端は固定されて第２出力端子１０４と電気的に接続されており、前記第二開閉端子４４の他方の端は前記第２入力端子２４と対応する位置において前記第２入力端子２４と離隔されるようにして弾性的に移動可能になって接点及び分離（開放）されるように設けられ、前記第１開閉端子４２は一方の端は固定されて前記第１出力端子１０２と電気的に接続されており、他方の端は前記第１入力端子２２と対応する位置において前記第１入力端子２２と離隔されるようにして弾性的に移動可能になって接点及び分離（開放）されるように設けられ、
前記開閉ユニット４０は前後に開口される中空５３が前記オンボタン１４の摺動方向に平行に配置されるように前記ハウジング１２に固定されて支持され、前記オンボタン１４が位置する前方には前記中空５３から外周縁に貫通されて平行に第１孔５４及び第２孔５６が形成されるサポートバレル５０と、メインロッド６２から一側に分岐されて形成されることにより弾性的に動くサブロッド６４を有し、前記メインロッド及び前記サブロッドは前記オンボタン１４が位置する方向において前記サポートバレル５０の中空５３に摺動可能に結合され、
前記サブロッドは、その上に外側に突出されるように形成されて前記サポートバレル５０に結合されたときに前記第１孔５４に結合される第１ストッパー６６及び前記第２孔５６に結合される第２ストッパー６８を有し、
前記オンボタン１４により押されたときに前記第１ストッパー６６及び前記第２ストッパー６８が前記第２孔５６に一緒に結合されることにより位置が固定されるロックバー６０と、カラム７２の一側から、前記第２開閉端子４４と第１開閉端子４２を一定の力で押すようにカラム７２に垂直に位置するよう、外側に突出するように形成されるローダー７４を有し、一側が前記ロックバー６０の反対側において前記サポートバレル５０の中空５３に摺動可能に結合され、他側が前記ハウジング１２に支持されるバネ７８により支持されるプレッシングバー７０と、を備え、
前記サポートバレル５０は、第２孔５６の隣の個所に取り付けられ中空部分の外周縁表面上にヒンジ式に設置される解除片５８を備え、前記解除片５８は第２孔に載置された第１ストッパー６６及び第２ストッパー６８中に第２ストッパー６８を押してロックバー６０が後退して第１孔５４にサブロッド６４の第１ストッパー６６が載置されるようにし、ヒンジ運動し、回動後に元の位置に戻るようにバネが取り付けられ、
前記遅延ユニットは前記サポートバレル５０とオンボタン１４との間に位置して前記オンボタン１４の摺動方向に対して水平に配設され、前記第１遅延ブラケット８１ａとサポートバレル５０との間に位置して前記ハウジング１２に固設される支持ブロック９０と、前記第１遅延ブラケット８１ａと当接するように前記支持ブロック９０の上側に結合されて配設され、前記第２出力端子１０４と電気的に接続される第２遅延ブラケット８１ｂと、を備えて、
第１遅延ブラケット８１ａは一方の端が前記ハウジング１２に固定されて前記第２開閉端子４４と電線により接続され、他方の端が前記オンボタン１４の押下時に押されて弾性的に移動可能に設けられて第２遅延ブラケットから分離され、
前記オンボタン１４が押されて前進する方向に摺動するときに接点された前記第１遅延ブラケット８１ａと第２遅延ブラケット８１ｂが分離し前記第２出力端子１０４と第２入力端子２４が電気的に分離された状態で、前記開閉ユニット４０が作動されて前記第２開閉端子４４及び第１開閉端子４２が前記第２入力端子２４及び第１入力端子２２とそれぞれ接点されて前記第１出力端子１０２と前記第１入力端子２２が電気的に接続された後、前記オンボタン１４が後進する方向に摺動して元の位置に戻るときに分離していた前記第１遅延ブラケット８１ａと第２遅延ブラケット８１ｂが接点されて前記第２出力端子１０４と第２入力端子２４が電気的に接続されるようにすることを特徴とする請求項１に記載の待機電力遮断用スイッチ。
【請求項３】
前記オフユニット１１０は前記オンボタン１４が摺動する経路において離隔された位置に設けられるが、一側の先端部に形成された回転片１３８が前記オンボタン１４の前後方向の１サイクルの摺動動作と前記開閉ユニット４０をなすロックバー６０の前進によって前記オンボタン１４が摺動する経路上に位置して前記オンボタン１４により押されながら他側の先端部がオフバーの一側を押して前記オフバーの他側が前記開閉ユニット４０を作動させて接点された前記第２開閉端子４４及び第１開閉端子４２と前記第２入力端子２４及び第１入力端子２２を同時に分離するオフ用関節機構１３０であることを特徴とする請求項２に記載の待機電力遮断用スイッチ。
【請求項４】
前記オフ用関節機構１３０は前記開閉ユニット４０の一側に互いに離隔されるように設けられ、上端に支持孔１３３ａ、１３３ａ’が貫通して形成された一対の支持台と、
棒状を呈する胴体端１３６ｂの両端部の側面に互いに反対方向を向いて突出された連結端１３６ａと押下端１３６ｃがそれぞれ形成され、前記一対の支持台１３３、１３３’の支持孔１３３ａ、１３３ａ’にそれぞれ貫通するように挿入される前記押下端１３６ｃと連結端１３６ａにより支持されて水平移動が可能となり、前記押下端１３６ｃが挿入され、前記胴体端１３６ｂと前記支持孔１３３ａとの間に位置し前記胴体端１３６ｂが取り付けられるバネにより弾性的な復元力が与えられる移動具１３６と、
一方の端部が一側に折れ曲がって接触端１３８ａを形成する「Ｌ」字状を呈し、他方の端部が前記移動具１３６の連結端１３６ａにピン結合され、回転片１３９が回転する際、前記接触端１３８ａを前記オンボタン１４の摺動経路上に位置せしめる回転片１３８と、
前記ハウジング１２に設けられる固定台１３２に垂直に形成された回転軸１３２ａに中央部が挿入されて水平に回転可能になるが、オンボタン１４が前進するときオフバー１３４の一方の端部が前記移動具１３６の押下端１３６ｃにより押されながら他方の端部が前記開閉ユニット４０の解除片５８を押して前記ロックバー６０が摺動する方向とは反対方向へと後進するようにするオフバー１３４と、からなるが、
前記開閉ユニット４０のロックバー６０は遠位端が側面から突出して係止爪６０ａを形成し、
前記回転片１３８は他方の端部の先端が外部に所定の長さだけ前記連結端１３６ａから突出されるように前記連結端１３６ａにピン結合され、
前記ロックバーがオンボタン１４の摺動動作に応じて後退しながら、前記回転片１３８と前記連結端１３６ａとの間にトーションバネが設けられて前記回転片には弾性が付与され、前記回転片１３８の接触端１３８ａは前記トーションバネの弾性により前記オンボタン１４が摺動する経路において離隔された位置に待機するようにする一方、外部に突出される前記回転片１３８の他方の端部先端は前記オンボタン１４の摺動動作により前進する前記ロックバー６０の係止爪６０ａにより押されながら、前記回転片１３８の接触端１３８ａが前記回転編３８の回転動作により、前記オンボタン１４の摺動経路上に位置するようにすることを特徴とする 請求項３に記載の待機電力遮断用スイッチ。
【発明の詳細な説明】
【技術分野】
【０００１】
本発明は待機電力遮断用スイッチに係り、さらに詳しくは、ＴＶセット、オーディオシステム、コンピュータなど電気製品に直接的に組み付けられて自動制御されたオフ信号によりコンセントにプラグが接続されていてもプラグを介して印加される外部電源を機械的に完全遮断（２極遮断）することにより待機電力の消耗をなくし、まず第１入力端子と第１出力端子が電気的に接続され、その後に第２入力端子と第２出力端子が電気的に接続されて接点が順次的となるように、２極スイッチが最終的には１極スイッチとなり、それによって電気製品の電源のオン時にスイッチの２極が同時に電気製品の本体に接点する時に発生しうるスパーク及び電気製品の電気的衝撃を防止する待機電力遮断用スイッチに関する。
【背景技術】
【０００２】
一般的に使用される家電機器、事務機器、産業機器などの製品（以下、「電気製品」と称する。）は、スイッチを介して外部から印加される電源（電力）を供給されて作動する。そして、電気製品のスイッチを介して内部に印加される電源は電気製品に差し込まれるプラグ（この種のプラグは、電気製品に一体に結合されるタイプのものであってもよく、電気製品の接続端子を介して接続されるタイプのものであってもよい）を介して供給されるが、このプラグは建物内壁面に配設されるコンセントに接続される。
このようなプラグがコンセントに接続された電気製品は未使用状態でも接触抵抗により微細ながらも電力消耗が発生する。また、ある指示に応答可能な基本的な状態を維持するために待機電流が電気製品の内部に流れる状態を維持して電力を消耗する。例えば、ＰＣの電源スイッチは実際に電力を遮断し且つ供給するスイッチではなく、制御回路にＯＮ／ＯＦＦ信号を与えるためのスイッチであり、ＴＶなどの場合にはリモコンの信号に応答するためにＴＶ画面が出ないときにもＴＶに連結されたプラグをコンセントに接続させてリモコン信号を受信するために待機電流を必要とする。さらに、電気製品の主機能ではない補助機能（例：時計、表示）などとして生活の便利さのために待機電力が社会の全般に亘って消耗されている。このように使用される待機電流の量が大きく、それによる電力消耗が大であるため、コンセントから電気製品のプラグを引き抜くようにするか、または、マルチタップなどの補助スイッチを用いて待機電力を遮断するように政府で広報しているのが現状である。一方、ある電気製品は、使用の便宜のために電気製品のプラグをコンセントに常に差し込んだ状態で電気製品そのものに配設されたスイッチ（１極スイッチ）を用いて手動で電源をオン／オフさせて電力を遮断している。電力を実際に遮断するこのような１極スイッチは装着された電気製品に待機電流が流れることを遮断するが、微細に電力漏れが発生し、電気使用の確実な安定性を確保するという面では２極スイッチよりは劣っている。
大韓民国登録特許公報登録番号第１０−０２９９７６０号「節電型待機電力制御装置及び方法」は、ユーザーが手動で設定した時間帯またはユーザーが機器を使用する時間帯を統計的に分析した時間帯または機器の用途特性に依存して機器が使用される可能性がある時間帯に限って待機電力回路に電源を供給し、それ以外の時間帯には待機電力回路の電源を遮断して時間帯情報からマイコンにおいて待機電力が供給される時間を設定し、設定された待機電力供給時間情報は内部にタイマーを内蔵する待機電力制御部に伝送され、待機電力制御部はタイマーに待機電力が供給される時間を設定して設定された時間までは待機電力を遮断し、設定された時間が経過すれば自動的に待機電力が供給できるように制御することにより、待機電力状態の電力の無駄使いを減らすようにした技術を提案している。
大韓民国公開実用新案公報公開番号実２０００−００１５１０２号「待機電力時における消費電力節減装置」は、電源プラグから出力される交流電源を直流電源に変換する待機電力回路の出力電圧をマイコンにのみ供給することにより、従来より待機電力回路の出力電圧を低く設定できるようにし、また、フォトトライアックを備えてマイコンにおいて機器の主電源供給の有無をフォトトライアックを用いて制御することにより、主電源回路の交流電源入力の有無を制御するための部品点数を低減すると共に待機電力の消費電力を低減するための技術を提案している。
大韓民国公開特許公報公開番号第１０−２００６−０００８６９９号「待機電力節電型プッシュスイッチの構造」は、主電源を電子機器のシステムの各部に印加する電源部に設けられて主電源をオン／オフさせるプッシュスイッチ、プッシュスイッチに設けられてプッシュスイッチのボタンを解除することにより、主電源をオフさせるボタン解除部、及び待機モード進入時から時間をカウントして既定の時間が経過すれば、電気信号をボタン解除部に伝達してボタン解除部をしてボタンを解除せしめるマイコンと、を備えてなることにより、電子機器の待機モード時に発生する電力消耗を防止できるようにした技術を提案している。
これらの従来の技術は、待機電力を低減するための制御方法と装置を提案しているが、基本的にマイコンなどを維持するための電源（待機電力）は維持されるようにする技術であり、電気製品内の待機電力を根本的に遮断することができないといった問題点がある。
一方、大韓民国登録実用新案公報登録番号第２０−０２５５３８２号「待機電力遮断用コンセントの配設構造」は、第１引出線及び第２引出線に連結される第１コンセント端子と、第３引出線及び第４引出線に連結される第２コンセント端子はそれぞれ分離されており、第１コンセント端子または第２コンセント端子に非引込線が連結されるが、第１引出線は電源をオン、オフにできるスイッチが連結された補助主線と連結され、この補助主線は第１主線と連結され、第２引出線は第２主線と連結され、第３引出線と第４引出線はそれぞれ第１主線及び第２主線に連結されるコンセントの配設構造を通じて第１コンセント端子はスイッチを短絡させて未使用の待機電力を遮断できるようにした技術を提案している。
しかしながら、これらの従来の技術は途中に別途の補助スイッチを設けるものであるため、通常、家内遮断機またはマルチタップと呼ばれる補助スイッチを使用する方法とほとんど同じものである。すなわち、これらの従来の技術は、コンセントからプラグを引き抜くかのように、ユーザーが待機電力を遮断するために意識的に補助スイッチまたはマルチタップなどの待機電力を遮断するための１極または２極スイッチを設け、電気製品の未使用時に（電源のオフ時に）当該スイッチを作動させなければならないという煩雑さがある。さらに、上述した如き２極スイッチは電気製品がオンされた状態で電源の接続時にスパークが激しく起こる恐れがあるといった問題点があり、電気製品の電気及び電子回路に衝撃を与えて損傷する可能性があるという問題点がある。
【先行技術文献】
【特許文献】
【０００３】
【特許文献１】大韓民国登録特許公報登録番号第１０−０２９９７６０号
【特許文献２】大韓民国公開実用新案公報公開番号実２０００−００１５１０２号
【特許文献３】大韓民国公開特許公報公開番号第１０−２００６−０００８６９９号
【特許文献４】大韓民国登録実用新案公報登録番号第２０−０２５５３８２号
【発明の概要】
【発明が解決しようとする課題】
【０００４】
このため、本発明はこれらの従来の技術の問題点を解消するために提案されたものであり、電気製品に直接設けられて自動制御されるオフ信号によりプラグを介して印加される外部電源を機械的に完全遮断（２極遮断）せしめることにより、まるでコンセントからプラグを引き抜くかのようになって便利に待機電力（微細電力）をなくすことのできる新規なタイプの待機電力遮断用スイッチを提供することを目的とする。
本発明は、このようなスイッチを構成するに当たって、第１入力端子と第２入力端子からなる入力端子台を備え、第１開閉端子と第２開閉端子を有する開閉端子台からなる電気製品のスイッチを構成するに当たって、オフ時に接点されている入力端子台の第１入力端子及び第２入力端子と開閉端子台の第１開閉端子及び第２開閉端子を同時にいずれも分離（開放）することにより待機電力をなくすことのできる新規なタイプの待機電力遮断用スイッチを提供することを目的とする。
一方、電気製品の電源印加時にスイッチの入力端子台において第２入力端子及び第１入力端子が第２開閉端子及び第１開閉端子と同時に接点される場合、接点される端子間において大きなスパークが発生する恐れがあり、電気衝撃により内部回路が損傷もしくは破損されるといった問題点を補完するためにまず第１端子を接続し、その後に第２端子を接続することにより、電源をオフ制御回路及び電気製品本体に供給する。
換言すると、本発明は、電気製品に設けられてオフ時に手動または自動制御によりプラグを介して印加される外部電源を手軽に機械的に完全に遮断（２極遮断）せしめることにより待機電流（微細電流）をなくすことを可能にするが、電気製品に電源を入れるときに２極スイッチから発生可能な大きなスパークによる火災及び電気製品の電気的衝撃を防止するように端子の接点を順次的にして２極のスイッチが１極のスイッチの形態となる新規なタイプの待機電力遮断用スイッチを提供することを目的とする。
【課題を解決するための手段】
【０００５】
上述した目的を達成するために、本発明の特徴によれば、本発明は、電気製品に設けられてオフ時にプラグ１を介して印加される外部電源を完全遮断せしめるための待機電力遮断用スイッチにおいて、前記電気製品に固定されるハウジング１２と、前記ハウジング１２内において前記プラグ１の第２電線３と接続される第２入力端子２４を有し、前記ハウジング１２内において前記プラグ１の第１電線２と接続される第１入力端子２２を有する入力端子台２０と、前記ハウジング１２内に設けられ、前記第２入力端子２４と接点される第２開閉端子４４を有し、前記第１入力端子２２と接点される第１開閉端子４２を有し、前記第２開閉端子４４及び第１開閉端子４２と前記第２入力端子２４及び第１入力端子２２をそれぞれ接点及び分離するための開閉ユニット４０と、前記ハウジング１２に摺動可能に結合されてユーザーにより押されたときに前記開閉ユニット４０を作動させて前記第２開閉端子４４及び第１開閉端子４２と前記第２入力端子２４及び第１入力端子２２をそれぞれ接点させた後に元の位置に戻るオンボタン１４と、前記ハウジング１２内において前記開閉ユニット４０の第２開閉端子４４と電気的に接続されて前記電気製品の内側に延びる内部電源ライン５の第２電線７と接続される第２出力端子１０４を有し、前記ハウジング１２内において前記開閉ユニット４０の第１開閉端子４２と電気的に接続されて前記電気製品の内側に延びる内部電源ライン５の第１電線６と接続される第１出力端子１０２を有する出力端子台１００と、前記ハウジング１２に設けられて前記開閉ユニット４０の第２開閉端子４４及び第１開閉端子４２が前記第２入力端子２４及び第１入力端子２２とそれぞれ接点された状態で前記開閉ユニット４０を作動させることにより、前記第２開閉端子４４及び第１開閉端子４２を前記第２入力端子２４及び第１入力端子２２とそれぞれ分離させるオフユニット１１０と、前記第２入力端子２４と第２出力端子１０４との間に設けられ、前記オンボタン１４が押されたときに前記開閉ユニット４０よりも先に作動されて前記開閉ユニット４０が作動されても前記第２入力端子２４と第２出力端子１０４が電気的に接続できないようにし、前記開閉ユニット４０が作動されて前記第１入力端子２２と第１出力端子１０２が電気的に接続された後、前記オンボタン１４が元の位置に戻るときに前記第２入力端子２４と第２出力端子１０４が電気的に接続されるようにすることにより、時間差をおいて順次に内部電源ライン５に接続されるようにする遅延ユニット８０と、を備えることを特徴とする。
このように、本発明による待機電力遮断用スイッチにおいて、前記入力端子台２０の前記第２入力端子２４と第１入力端子２２は前記オンボタン１４の摺動方向に対して垂直に配設され、前記開閉ユニット４０の前記第２開閉端子４４と第１開閉端子４２は前記オンボタン１４の摺動方向に対して垂直に配設されるが、前記第２開閉端子４４の一方の端は固定されて第２出力端子１０４と電気的に接続されており、他方の端は前記第２入力端子２４と対応する位置において前記第２入力端子２４と離隔されるようにして弾性的に移動可能になって接点及び分離（開放）されるように設けられ、前記第１開閉端子４２は一方の端は固定されて前記第１出力端子１０２と電気的に接続されており、他方の端は前記第１入力端子２２と対応する位置において前記第１入力端子２２と離隔されるようにして弾性的に移動可能になって接点及び分離（開放）されるように設けられ、前記開閉ユニット４０は前後に開口される中空５３が前記オンボタン１４の摺動方向に平行に配置されるように前記ハウジング１２に固定されて支持され、前記オンボタン１４が位置する前方には前記中空５３から外周縁に貫通されて互いに平行に第１孔５４及び第２孔５６が形成されるサポートバレル５０と、メインロッド６２から一側に分岐されて形成されることにより弾性的に動くサブロッド６４を有し、前記オンボタン１４が位置する方向において前記サポートバレル５０の中空５３に摺動可能に結合され、前記サブロッド６４上に外側に突出されるように形成されて前記サポートバレル５０に結合されたときに前記第１孔５４に結合される第１ストッパー６６及び前記第２孔５６に結合される第２ストッパー６８を有し、前記オンボタン１４により押されたときに前記第１ストッパー６６及び前記第２ストッパー６８が前記第２孔５６に一緒に結合されることにより位置が固定されるロックバー６０と、カラム７２の下側に前記第２開閉端子４４と第１開閉端子４２を押すように外側に突出されて形成されるローダー７４を有し、一側が前記ロックバー６０の反対側において前記サポートバレル５０の中空５３に摺動可能に結合され、他側が前記ハウジング１２に支持されるバネ７８により支持されるプレッシングバー７０と、を備え、前記サポートバレル５０の第２孔５６の隣の個所に取り付けられていて第２孔に載置された第１ストッパー６６及び第２ストッパー６８中に第２ストッパー６８を押してロックバー６０が後退して第１孔５４にサブロッド６４の第１ストッパー６６が載置されるようにし、ヒンジ運動され、回動後に元の位置に戻るようにバネが取り付けられた解除片５８を備え、前記遅延ユニット８０は前記サポートバレル５０とオンボタン１４との間に位置して前記オンボタン１４の摺動方向に対して水平に配設されるが、一方の端が前記ハウジング１２に固定されて前記第２開閉端子４４と電線により接続され、他方の端が前記オンボタン１４の押下時に押されて弾性的に移動可能に設けられて第２遅延ブラケットと接点及び分離（開放）される第１遅延ブラケット８１ａと、前記第１遅延ブラケット８１ａとサポートバレル５０との間に位置して前記ハウジング１２に固設される支持ブロック９０と、前記第１遅延ブラケット８１ａと当接するように前記支持ブロック９０の上側に結合されて配設され、前記第２出力端子１０４と電気的に接続される第２遅延ブラケット８１ｂと、を備えて、前記オンボタン１４が押されて前進する方向に摺動するときに先に接点された前記第１遅延ブラケット８１ａと第２遅延ブラケット８１ｂが分離されて前記第２出力端子１０４と第２入力端子２４が電気的に分離された状態で、前記開閉ユニット４０が作動されて前記第２開閉端子４４及び第１開閉端子４２が前記第２入力端子２４及び第１入力端子２２とそれぞれ接点されて前記第１出力端子１０２と前記第１入力端子２２が電気的に接続された後、前記オンボタン１４が後進する方向に摺動して元の位置に戻るときに前記第１遅延ブラケット８１ａと第２遅延ブラケット８１ｂが接点されて前記第２出力端子１０４と第２入力端子２４が電気的に接続されるようにすることを特徴とする。
このように、本発明による待機電力遮断用スイッチにおいて、前記オフユニット１１０は前記オンボタン１４が摺動する経路において離隔された位置に設けられるが、一側の先端部に形成された回転片１３８が前記オンボタン１４の前後方向の１サイクルの摺動動作と前記開閉ユニット４０をなすロックバー６０の前進によって前記オンボタン１４が摺動する経路上に位置して前記オンボタン１４により押されながら他側の先端部がオフバー１３４の一側を押して前記オフバー１３４の他側が前記開閉ユニット４０を作動させて接点された前記第２開閉端子４４及び第１開閉端子４２と前記第２入力端子２４及び第１入力端子２２を同時に分離するオフ用関節機構１３０であることを特徴とする。
このように、本発明による待機電力遮断用スイッチにおいて、前記オフ用関節機構１３０は前記開閉ユニット４０の一側に互いに離隔されるように設けられ、上端に支持孔１３３ａ、１３３ａ’が形成された一対の支持台１３３、１３３’と、棒状を呈する胴体端１３６ｂの両端部の側面に互いに反対方向を向いて突出された連結端１３６ａと押下端１３６ｃがそれぞれ形成され、前記一対の支持台１３３、１３３’の支持孔１３３ａ、１３３ａ’にそれぞれ貫通するように挿入される前記押下端１３６ｃと連結端１３６ａにより支持されて水平移動が可能となり、前記押下端１３６ｃが挿入され、前記胴体端１３６ｂと前記支持台１３３との間に位置するバネにより復元力が与えられる移動具１３６と、一方の端部が一側に折れ曲がって接触端１３８ａを形成する「Ｌ」字状を呈し、他方の端部が前記移動具１３６の連結端１３６ａにピン結合されて回転運動時に前記接触端１３８ａを前記オンボタン１４の摺動経路上に位置せしめる回転片１３８と、前記ハウジング１２に設けられる固定台１３２に垂直に形成された回転軸１３２ａに中央部が挿入されて回転可能になるが、一方の端部が前記移動具１３６の押下端１３６ｃにより押されながら他方の端部が前記開閉ユニット４０の解除片５８を押して前記ロックバー６０が後進するようにするオフバー１３４と、からなるが、前記開閉ユニット４０のロックバー６０は先端が側方向に突出されて係止爪６０ａを形成し、前記回転片１３８は他方の端部の先端が外部に定まった長さだけ突出されるように前記連結端１３６ａにピン結合され、前記回転片１３８と前記連結端１３６ａとの間にトーションバネが設けられて前記回転片１３８の接触端１３８ａは前記トーションバネの弾性により前記オンボタン１４が摺動する経路において離隔された位置に待機するようにする一方、外部に突出される前記回転片１３８の他方の端部先端は前記オンボタン１４の摺動動作により前進する前記ロックバー６０の係止爪６０ａにより押されながら前記回転片１３８の接触端１３８ａが前記オンボタン１４の摺動経路上に位置するようにすることを特徴とする。
このように、本発明による待機電力遮断用スイッチにおいて、前記回転片１３８は一方の端部をなす接触端１３８ａと他方の端部が互いにピン結合され、前記接触端１３８ａと他方の端部との間に圧縮バネ１３８ｃが設けられるが、前記回転片１３８の他方の端部に「Ｌ」字状のストッパー１３８ｂが形成されて前記ロックバー６０を前進させるための前記オンボタン１４の摺動動作時には前記接触端１３８ａが回転して前記オンボタン１４と前記接触端１３８ａが互いに干渉しないようにし、前記ロックバー６０の後進のための前記オンボタン１４の摺動動作時には前記回転片１３８が「Ｌ」字状に定位置となって前記オンボタン１４が摺動する経路上に前記接触端１３８ａが位置するようにすることを特徴とする。
このように、本発明による待機電力遮断用スイッチにおいて、前記回転片１３８は前記一方の端部をなす接触端１３８ａと他方の端部が一体に形成され、前記オンボタン１４は先端部に押下片１４ｂがピン及びトーションバネにより結合されて前記接触端１３８ａと接触して前記回転片１３８を押すようにするが、互いに接触する前記接触端１３８ａと押下片１４ｂの接触面には歯車状の凹凸が形成されて噛み合うようにしてもよい。
このように、本発明による待機電力遮断用スイッチにおいて、前記オフユニット１１０は、前記ハウジング１２に摺動可能に結合されてユーザーにより押されたときにオフバー１３４の一側を押して他側が前記開閉ユニット４０を作動させて接点された前記第２開閉端子４４及び第１開閉端子４２と前記第２入力端子２４及び第１入力端子２２を同時に分離されるようにした後、元の位置に戻るオフボタン１２０を備えることを特徴とする。
このように、本発明による待機電力遮断用スイッチにおいて、前記オフユニット１１０は、前記開閉ユニット４０及び遅延ユニット８０を介して内部に印加される電源を供給されて作動し、遠隔無線制御を行うためのコントローラ１４４と、前記コントローラ１４４と接続されて遠隔無線信号を受信するセンサー１４２と、電気製品の内部回路の信号を受信できるように電気的に連結された前記コントローラ１４４の制御によりオフバー１３４の一側を引っ張って他側が前記開閉ユニット４０を作動させて接点された前記第２開閉端子４４及び第１開閉端子４２と前記第２入力端子２４及び第１入力端子２２を同時に分離する動作を行うアクチュエータ１４６と、を有するリモートモジュール１４０をさらに備えていてもよい。
一方、本発明による待機電力遮断用スイッチは、上述とは異なり、前記遅延ユニット８０は一側が前記ハウジング１２から離隔されて空間を有するように前記ハウジング１２に結合され、前記第２開閉端子４４が結合される支持ブロック８６と、前記第２入力端子２４が固定されるように結合され、支持プレート８４ｂの下側に前記支持ブロック８６にヒンジ結合されて回動可能であり、回動後に元の位置に戻るようにバネが結合される遅延プレート８４と、一方の端が前記オンボタン１４の側面の一側に突出するように結合して折り曲げられてオンボタン１４と平行となり、他方の端が前記遅延プレート８４の隣に位置して、前記オンボタン１４が押されて先に前記遅延プレート８４を回転させて前記第２出力端子１０４と前記第２入力端子２４が電気的に接続されないようにし、前記開閉ユニット４０が作動されて前記第１開閉端子４２が前記第１入力端子２２に接点されて前記第１出力端子１０２と前記第１入力端子２２が電気的に接続された後、前記オンボタン１４が元の位置に戻るときに前記遅延プレート８４を元の位置に回転させて前記第２開閉端子４４と前記第２入力端子２４が接点されて前記第２出力端子１０４と前記第２入力端子２４が電気的に接続されるようにする遅延バー８２を備える構成であってもよい。
【発明の効果】
【０００６】
本発明による待機電力遮断用スイッチによれば、コンセントにプラグが接続された電気製品において、設けられた待機電力遮断用スイッチのオフユニットをなす制御回路のオフ信号動作だけでも電気製品に供給される待機電流（または微細電流）を機械的に完全遮断（２極遮断）することによりマルチタップを使用したりプラグをコンセントから引き抜くことなく電気エネルギーの余計な使用を防止して電気エネルギーを節約し、電気製品の内部に流れる電流による合線、漏電、静電気などを未然に防止することができる。
また、本発明は、電気製品に電源を入れるときに、まず遅延ユニットを介してプラグに連結された第１入力端子と電気製品本体と連結された第１出力端子が電気的に接続され、且つ、電気製品本体と連結された第２出力端子がプラグに連結された第２入力端子と電気的に接続されるようにすることにより、電気製品本体に２極が同時接続時に端子間において激しく発生可能なスパークに起因する火災及び電気製品本体への電気的な衝撃を防止することができる。
【図面の簡単な説明】
【０００７】
【図１】本発明の技術的思想による待機電力遮断用スイッチを説明するためのブロック図である。
【図２】本発明の好適な第１実施形態による待機電力遮断用スイッチの要部を説明するための斜視図である。
【図３】図２の待機電力遮断用スイッチにおける開閉ユニットの主な構成を説明するための分解斜視図である。
【図４】図２の待機電力遮断用スイッチにおけるオフユニットの主な構成を説明するための斜視図である。
【図５】図２の待機電力遮断用スイッチにおけるオフユニットの主な構成を説明するための斜視図である。
【図６】図２の待機電力遮断用スイッチの作動機構を順次に説明するための図である。
【図７】図２の待機電力遮断用スイッチの作動機構を順次に説明するための図である。
【図８】図２の待機電力遮断用スイッチの作動機構を順次に説明するための図である。
【図９】図２の待機電力遮断用スイッチの作動機構を順次に説明するための図である。
【図１０】図２の待機電力遮断用スイッチの作動機構を順次に説明するための図である。
【図１１】本発明の好適な第２実施形態による待機電力遮断用スイッチの要部を説明するための斜視図である。
【図１２】図１１の待機電力遮断用スイッチにおけるオフユニットの主な構成を説明するための斜視図である。
【図１３】図１１の待機電力遮断用スイッチにおけるオフユニットの主な構成を説明するための斜視図である。
【図１４】図１１の待機電力遮断用スイッチの作動機構を順次に説明するための図である。
【図１５】図１１の待機電力遮断用スイッチの作動機構を順次に説明するための図である。
【図１６】図１１の待機電力遮断用スイッチの作動機構を順次に説明するための図である。
【図１７】図１１の待機電力遮断用スイッチの作動機構を順次に説明するための図である。
【図１８】本発明の好適な第３実施形態による待機電力遮断用スイッチの要部を説明するための斜視図である。
【図１９】図１８の待機電力遮断用スイッチの作動機構を順次に説明するための図である。
【図２０】本発明の好適な第４実施形態による待機電力遮断用スイッチの要部を説明するための斜視図である。
【図２１】図２０の待機電力遮断用スイッチにおける遅延ユニットの主な構成を説明するための分解斜視図である。
【図２２】図２０の待機電力遮断用スイッチの作動機構を順次に説明するための図である。
【図２３】本発明の好適な第５実施形態による待機電力遮断用スイッチの要部を説明するための斜視図である。
【図２４】図２３の待機電力遮断用スイッチにおける開閉ユニットの主な構成及びその組立て状態を説明するための分解斜視図である。
【図２５】図２３の待機電力遮断用スイッチにおける開閉ユニットの主な構成及びその組立て状態を説明するための分解斜視図である。
【図２６】図２３の待機電力遮断用スイッチにおける開閉ユニットの主な構成及びその組立て状態を説明するための分解斜視図である。
【図２７】図２３の待機電力遮断用スイッチにおける開閉ユニットの主な構成及びその組立て状態を説明するための分解斜視図である。
【図２８】図２３の待機電力遮断用スイッチの電源をオンさせる作動機構を順次に説明するための図である。
【図２９】図２３の待機電力遮断用スイッチの電源をオフさせる作動機構を順次に説明するための図である。
【発明を実施するための形態】
【０００８】
図１は、本発明の技術的思想による待機電力遮断用スイッチを説明するためのブロック図である。
図１を参照すると、本発明による待機電力遮断用スイッチ１０（以下、「スイッチ」と称する。）は、電気製品に設けられてオフ時にプラグ１を介して印加される外部電源を遮断するに当たって、入力端子台２０の端子２２、２４と出力端子台１００の端子１０２、１０４との間に開閉端子４２、４４を有する開閉ユニット４０を設けて入力端子台２０の端子２２、２４と接点及び分離されるようにすることにより、オフユニット１１０によるオフ時に開閉ユニット４０の開閉端子４２、４４と入力端子台２０の端子２２、２４が同時に分離されてプラグ１を介して印加される外部電源が完全に遮断されるようにすることを特徴とする。このような技術的構成を通じて、本発明によるスイッチ１０は、オフ時に電気製品の内部に電源が全く印加されなくなることにより、待機電力（微細電力）による電力の無駄遣いをなくすことができる。
また、本発明によるスイッチ１０は、このような開閉ユニット４０と一緒に第２入力端子２４と第２出力端子１０４との間に遅延ユニット８０を設けて電気製品に電源を入れるときに電気製品の内部電源５に第１出力端子１０２が先に接続され、その後に第２出力端子１０４が時間差をおいて接続されるようにすることにより、２極が同時に接続時に発生可能なスパーク及び電気製品に対する電気的衝撃を防止する。
このように、本発明によるスイッチ１０は、室内の最前端に設けられて室外から印加される電源を全体的に遮断する開閉機のように２極スイッチの構成を有しながら、従来の技術とは異なり、電気製品に直接的に設けられてプラグを引き抜くのと同様になり、個別電気製品の待機電力を完全に遮断し、且つ、電気による安全事故をも予防できるようにすることを特徴とする。
特に、遅延ユニット８０は、電源の入力時に電気製品に２極の端子が同時に接続されないようにすることにより、１極スイッチ（一般スイッチ）よりもスパークが発生する可能性が高く、且つ、電気製品回路に衝撃を与えて損傷させる恐れのある２極スイッチの問題点を解消することを特徴とする。すなわち、本発明によるスイッチ１０において、遅延ユニット８０は、２極スイッチに１極スイッチの作用をせしめる。
さらに図１を参照すると、本発明の技術的思想によるスイッチ１０は、ハウジング１２、入力端子台２０、開閉ユニット４０、オンボタン１４、出力端子台１００及びオフユニット１１０を備えてなる。
このとき、ハウジング１２は、本発明のスイッチ１０のフレームをなす要素を指し示すものであり、このようなハウジング１２は、デザイン、機構的な必要に応じて様々な形態に形成されて電気製品に固定される。そして、入力端子台２０と出力端子台１００は、本発明の好適な実施形態から明らかなように、必要に応じてその形態及び配設位置を異にするものであり、一般的なスイッチに適用される様々な形態が適用可能である。通常、入力端子台２０はプラグ１が接続されることにより外部電源が入力される通路であり、出力端子台１００はスイッチ１０内に印加された電源が電気製品内の電気、電子回路に出力される通路である。本発明において、入力端子台２０は、ハウジング１２内においてプラグ１の第２電線３と接続される第２入力端子２４を有し、ハウジング１２内においてプラグ１の第１電線２と接続される第１入力端子２２を有する。
このとき、入力入力端子２２、２４と出力端子１０２、１０４は高い通電性を有する金属（例、銅）材質の固定板状であることが好ましく、第２開閉端子４４と第１開閉端子４２は高い通電性を有する金属（例、銅）材質であって、弾性を有する板状であることが好ましい。
開閉ユニット４０はハウジング１２内に設けられ、第２入力端子２４と接点される第２開閉端子４４を有し、第１入力端子２２と接点される第１開閉端子４２を有する。そして、第２開閉端子４４及び第１開閉端子４２が第２入力端子２４及び第１入力端子２２とそれぞれ接点及び分離されるようにする。さらに、本発明において、オンボタン１４は、ハウジング１２に摺動可能に結合されてユーザーにより押されたときに開閉ユニット４０を作動させて第１開閉端子４２及び第２開閉端子４４が第１入力端子２２及び第２入力端子２４とそれぞれ接点されるようにした後に元の位置に戻る。また、オフユニット１１０はハウジング１２に設けられて開閉ユニット４０の第２開閉端子４４及び第１開閉端子４２が第２入力端子２４及び第１入力端子２２とそれぞれ接点された状態で開閉ユニット４０を作動させることにより、第２開閉端子４４及び第１開閉端子４２が第２入力端子２４及び第１入力端子２２と同時に分離（開放）されるようにする。このとき、本発明の好適な実施形態から明らかなように、オフユニット１１０はスイッチ内（電気製品内）に電源が供給される状態で作動されるためリモートコントロールなど自動制御が可能であり、且つ、電気製品の内部回路と電気的に連結されて内部回路の信号を受信できるようにする。
このような構成によって、本発明のスイッチ１０において、出力端子台１００はハウジング１２内において開閉ユニット４０の第２開閉端子４４と電気的に接続されて電気製品の内側（電気製品の本体）に延びる内部電源ライン５の第２電線７と連結される第２出力端子１０４を有し、ハウジング１２内において開閉ユニット４０の第１開閉端子４２と電気的に接続されて電気製品の内側に延びる内部電源ライン５の第１電線６と連結された第１出力端子１０２を有する。
一方、上述したように、本発明によるスイッチ１０は電気製品に電源を入れるときにスパークが激しく発生することを防止し、且つ、電気製品の内部回路に衝撃を与えないためにオンボタン１４により作動される遅延ユニット８０をさらに備えてなる。この遅延ユニット８０は第２入力端子２４及び第２出力端子１０４の間に設けられてもよい。
このように遅延ユニット８０はオンボタン１４が押されたときに開閉ユニット４０の作動有無とは無関係に設けられた第２出力端子１０２と第２入力端子２４との間が開かれるように（開放されるように）し、オンボタン１４が元の位置に戻るときに再接続されるようにすることにより、まず第１入力端子２２と第１出力端子１０２が電気的に接続され、その後に第２入力端子２４と第２出力端子１０４が電気的に接続して電気製品本体に電源を供給できるようにする。
以下、本発明の好適な実施形態を添付の図２から図２９に基づいて詳細に説明し、図１から図２９において、同じ構成要素に対しては同じ参照番号を付する。一方、各図において、一般的な技術からこの分野における当業者が容易に理解可能な構成とそれに対する作用及び効果についての図示及び詳細な説明は簡略化または省略し、本発明と関連する部分を中心に開示する。
図２は、本発明の好適な第１実施形態による待機電力遮断用スイッチの要部を説明するための斜視図であり、図３は、図２の待機電力遮断用スイッチにおける開閉ユニットの主な構成を説明するための分解斜視図であり、図４および図５は、図２の待機電力遮断用スイッチにおけるオフユニットの主な構成を説明するための斜視図であり、図６から図１０は、図２の待機電力遮断用スイッチの作動（ＯＮ）メカニズムを順次に説明し、且つ、オフ（ＯＦＦ）メカニズムを説明するための図である。
図１を熟知した状態で図２から図５を参照すると、本発明の好適な第１実施形態によるスイッチ１０は、ハウジング１２、オンボタン１４、入力端子台（２０、図１参照）、開閉ユニット（４０、図１参照）、遅延ユニット（８０、図１参照）、出力端子台１００及びオフユニット１１０を備えてなる。
このとき、オンボタン１４はハウジング１２により支持されるバネ１４ａによりユーザーによる押下後（作動後）にさらに元の位置（ユーザーによる押下が作用しない状態、初期位置）に戻るように構成される。もちろん、本発明の好適な第１実施形態において、オンボタン１４は最も単純な棒状を有するようにしているが、これに限定されるものではなく、この分野における種々の構造を適用することができる。
本発明の好適な第１実施形態において、入力端子台２０は、ハウジング１２内においてプラグ１の第２電線３と接続される第２入力端子２４を有し、ハウジング１２内においてプラグ１の第１電線２と接続される第１入力端子２２を有する。このとき、入力端子台２０の第２入力端子２４と第１入力端子２２は、図２から明らかなように、オンボタン１４の摺動方向に対して垂直に配設される。そして、入力端子台２０の第２入力端子２２と第１入力端子２２はブロック２６の上端部に固定されて互いに同じ高さを有するようにする。
上述したように、本発明の好適な第１実施形態によるスイッチ１０の開閉ユニット４０はハウジング１２内に設けられ、第２入力端子２４と接点される第２開閉端子４４を有し、第１入力端子２２と接点される第１開閉端子４２を有する。このとき、この実施形態において、第２開閉端子４４と第１開閉端子４２は、図２から明らかなように、オンボタン１４の摺動方向に対して垂直に配設される。このような第１開閉端子４２は第１入力端子２２が設けられるブロック２６上において一方の端が固定され、電気的にリモートモジュール１４０を介して第１出力端子１０２と連結されており、他方の端が第１入力端子２２と対応する位置において第１入力端子２２と離隔されるようにして弾性的に移動可能に設けられて接点または分離される。さらに、第２開閉端子４４は第１開閉端子４２と同じ高さを持たせるブロック２６上において一方の端が固定され、電気的にリモートモジュール１４０を介して第２出力端子１０４と連結されており、他方の端が第２入力端子２４と対応する位置において第２入力端子２４と離隔されるようにして弾性的に移動可能に設けられて接点または分離される。これらの第２開閉端子４４と第１開閉端子４２を弾性的に移動可能にする構造は、基本的に、図２から明らかなように、板体の端子を折り曲げて得られるが、下側にバネ４５を付設して安定的に弾性力を付与できるようにする。もちろん、このような構造にはこの分野において通常的に提供される様々な形態が適用可能である。
図２及び図３から明らかなように、本発明の好適な第１実施形態によるスイッチ１０の開閉ユニット４０は、上述した第１開閉端子４２及び第２開閉端子４４に加えて、サポートバレル５０、ロックバー６０及びプレッシングバー７０を備えてなる。サポートバレル５０は前後に開口される中空５３がオンボタン１４の摺動方向に平行に配置されるようにハウジング１２に固定されて支持される。このサポートバレル５０は中空５３から外周に貫通されて平行に形成される第１孔５４及び第２孔５６を有する。そして、サポートバレル５０の外周面にはヒンジ結合されて回動され、且つ、バネにより回動される解除片５８が設けられる。このような解除片５８はオフユニット１１０により作動されてロックバー６０の第１ストッパー６６と第２ストッパー６８がサポートバレル５０の第２孔５６における結合を第１孔５４及び第２孔５６に跨らせることにより第２開閉端子４４及び第１開閉端子４２が第２入力端子２４及び第１入力端子２２と同時に開放（分離）されるようにする。このとき、第１ストッパー６６よりも第２ストッパー６８の高さを大きくして解除片５８により第２孔５６から第１ストッパー６６が容易に離脱されるようにすればよい。
このようなサポートバレル５０の両側にはロックバー６０とプレッシングバー７０が互いに連動されるように結合される。このとき、ロックバー６０はメインロッド６２から一側において分岐されて形成されることにより弾性的に動くサブロッド６４を備えて、オンボタン１４が位置する方向においてサポートバレル５０の中空５３に摺動可能に結合される。さらに、このロックバー６０はサブロッド６４上に外側に突出されるように形成されてサポートバレル５０に結合されたときに第１孔５４に結合される第１ストッパー６６及び第２孔５６に結合される第２ストッパー６８を有する。このようなロックバー６０は、図６及び図７に示すように、オンボタン１４により押されたときに、第１ストッパー６６及び第２ストッパー６８が一緒に第２孔５６に結合されることによりその位置が固定されてプレッシングバー７０が変換された位置（第２開閉端子４４と第１開閉端子４２を押す位置）を維持するようにする。もちろん、このようなサポートバレル５０及びロックバー６０のロック構造は、通常、ボールペンにおける長期間の使用によりその作動が検証されたものである。
このとき、プレッシングバー７０はカラム７２の下側に第２開閉端子４４と第１開閉端子４２の一側を同じ力で押すように外側に突出されて形成されるローダー７４を有する。このようなプレッシングバー７０は一側がロックバー６０の反対側においてサポートバレル５０の中空５３に摺動可能に結合され、他側がハウジング１２に支持されるバネ７８により支持される。
このような構成を有する開閉ユニット４０は、図６に示すように、ユーザーにより押されるオンボタン１４により作動されて第２開閉端子４４及び第１開閉端子４２が第２入力端子２４及び第１入力端子２２とそれぞれ接点されるようにする。
このような構成を有する開閉ユニット４０の作動（電源を入れるとき）を見ると、まず、図２に示すように、電源がオフされた状態でユーザーが電気製品の電源をオン（ＯＮ）させるために、図６に示すようにオンボタン１４を押すと、オンボタン１４は（摺動方向に）前進してサポートバレル５０に摺動可能に支持されているロックバー６０を押すことになる。すると、ロックバー６０はサポートバレル５０の内側に前進して連動されるプレッシングバー７０を押すことになり、この過程でプレッシングバー７０のローダー７４は第２開閉端子４４及び第１開閉端子４２を下方向（摺動方向）に押して第２入力端子２４及び第１入力端子２２と密着されて接点され、ロックバー６０は第１ストッパー６６がサポートバレル５０の第２孔５６に係止される状態を維持することにより、図７に示すようにオンボタン１４が最初の位置（元の位置）に戻るとしてもプレッシングバー７０のローダー７４が第２開閉端子４４及び第１開閉端子４２を第２入力端子２４及び第１入力端子２２と密着された状態（位置）に維持するようにする。
一方、上述したように、本発明によるスイッチ１０は、電気製品に電源を入れるときに激しいスパークの発生を防止し、電気製品の内部回路への衝撃を低減するために遅延ユニット８０を備えてなる。この遅延ユニット８０は第２入力端子２４及び第２出力端子１０４の間に設けられ、オンボタン１４により作動される。このような遅延ユニット８０は、オンボタン１４が押されたときに設けられた位置の端子間、すなわち、第２入力端子２４と第２出力端子１０４との間が電気的に開放されるようにして開閉ユニット４０が作動しても開放状態が維持され、オンボタン１４が元の位置に戻るときに再接続されるようにすることにより、まず第１入力端子２２が第１開閉端子４２と接点されて第１出力端子１０２に電気的に連結された後に第２出力端子１０４と第２入力端子２４が電気的に接続されるようにする。
本発明の好適な第１実施形態において、遅延ユニット８０は、図２及び図４並びに図５から明らかなように、第１遅延ブラケット８１ａ、支持ブロック９０及び第２遅延ブラケット８１ｂを備えてなる。このとき、第１遅延ブラケット８１ａはサポートバレル５０とオンボタン１４との間に位置してオンボタン１４の摺動方向に対して水平に配設されるが、一方の端がハウジング１２に固定されて電線により第２開閉端子４４に連結され、他方の端は第２遅延ブラケット８１ｂと接点されるが、オンボタン１４の押下時に押されて弾性的に移動可能になって接点及び分離（開放）されるように設けられる。そして、支持ブロック９０はハウジング１２に固設されるものであり、第２遅延ブラケット８１ｂが上端に固定されるようにする。このような支持ブロック９０はオンボタン１４の押下時にオンボタン１４が摺動する経路から離隔された位置に設けられてオンボタン１４と干渉しないようにする。第２遅延ブラケット８１ｂは第１遅延ブラケット８１ａと当接するように支持ブロック９０の上側に結合されて設けられ、一側に電線によりリモートモジュール１４０を介して第２出力端子１０４と電気的に接続される。一方、第１開閉端子４２の固定された一側にはリモートモジュール１４０と電線により連結され、電気的に第１出力端子１０２と連結される。
このような遅延ユニット８０の構成を通じて、本発明の好適な第１実施形態によるスイッチ１０は、図２に示すように、電気製品の電源がオフされた状態で、図６に示すように、ユーザーが電源を入れる動作を通じてオンボタン１４を押すと、オンボタン１４が摺動して前進する過程で接点されている第１遅延ブラケット８１ａと第２遅延ブラケット８１ｂがオンボタン１４により分離（開放）される。そして、上述した第１実施形態と同様に、第２開閉端子４４及び第１開閉端子４２が第２入力端子２４及び第１入力端子２２とそれぞれ接点されるようにする。このとき、第２入力端子２４と第１入力端子２２は同じ高さ及び同じ形状に支持ブロック２６に固着される。さらに、この実施形態においては、図７に示すように、オンボタン１４が元の位置に戻るときに第１遅延ブラケット８１ａと第２遅延ブラケット８１ｂが接点されるようにすることにより、電気製品の内部電源ライン５に連結される出力端子１０２、１０４に電源が同時に接続されるのではなく順次に接続される状態を有するようにする。また、図８及び図９に示すように、オフユニット１１０が作動されてオフバー１３４を押して開閉ユニット４０を作動させて、図１０に示すように、第２開閉端子４４及び第１開閉端子４２が第２入力端子２４及び第１入力端子２２と同時に分離されるようにする動作を行う。
このとき、前記第１遅延ブラケット８１ａは通電性が良好であり、且つ、弾性を有する金属（例、銅）の環状の板状であることが好ましく、前記第１遅延ブラケット８１ａの一側とハウジング１２の底面との間にバネを嵌め込んで弾性力を与えることも好ましく、前記第２遅延ブラケット８１ｂは高い通電性を有する金属（例、銅）の板状であることが好ましい。
他方、オフユニット１１０はハウジング１２に設けられて開閉ユニット４０の第２開閉端子４４及び第１開閉端子４２が第２入力端子２４及び第１入力端子２２とそれぞれ接点された状態で開閉ユニット４０を作動させることにより、第２開閉端子４４及び第１開閉端子４２と第２入力端子２４及び第１入力端子２２を同時に分離する。このようなオフユニット１１０はオフ用関節機構１３０とリモートモジュール１４０を同時に使用したり、あるいは、両方のうちどちらか一方を選択的に使用して構成することができる。
このとき、オフ用関節機構１３０はオンボタン１４が摺動する経路から離隔された位置に設けられるものであり、このようなオフ用関節機構１３０はオンボタン１４の摺動動作によって開閉端子４２、４４が前進して入力端子２２、２４と接点された状態に位置させる開閉ユニット４０のロックバー６０を後進させてロックバー６０を元の位置に戻すことにより開閉端子４２、４４と入力端子２２、２４の接点を同時に分離する。
オフ用関節機構１３０は、一対の支持台１３３、１３３’、移動具１３６、回転片１３８、オフバー１３４を備える。
支持台１３３、１３３’は開閉ユニット４０の一側に垂直に設けられて移動具１３６を定まった高さにおいて支持するものであり、このために、支持台１３３、１３３’の上端には移動具１３６の先端部が貫入する支持孔１３３ａ、１３３ａ’が形成される。そして、一対の支持台１３３、１３３’が互いに離隔されてハウジング１２の底面に設けられて移動具１３６の両端部が支持台１３３、１３３’の支持孔１３３ａ、１３３ａ’に挿入されるようにすることにより、移動具１３６の支持が安定的に維持されるようにする。
移動具１３６は互いに離隔された一対の支持台１３３、１３３’間の距離と同じ長さの棒状を呈する胴体端１３６ｂと、胴体端１３６ｂの一方の端部の側面に垂直に突出されて一側支持台１３３’の支持孔１３３ａ’に貫入する連結端１３６ａと、胴体端１３６ｂの他方の端部の側面に連結端１３６ａとは反対方向を向いて垂直に突出されて他側支持台１３３の支持孔１３３ａに貫入する押下端１３６ｃと、を備えるが、これらの胴体端１３６ｂ、連結端１３６ａ、押下端１３６ｃは一体に形成されるため、移動具１３６は一つの物体として一体に移動することになる。このような移動具１３６は支持台１３３、１３３’により上述したように支持されるが、支持台１３３、１３３’の支持孔１３３ａ、１３３ａ’に押下端１３６ｃと連結端１３６ａが貫入することにより水平方向の移動が可能になる。また、支持台１３３と胴体端１３６ｂとの間にバネが設けられて押下端１３６ｃが挿入されて移動具１３６に弾性力を与える。ここで、移動具１３６の連結端１３６ａは回転片１３８と結合され、移動具１３６の押下端１３６ｃはオフバー１３４と連動されることにより、回転片１３８により移動具１３６が水平移動しながらオフバー１３４を作動させることになる。
回転片１３８は一方の端部が折れ曲がって接触端１３８ａを形成する「Ｌ」字状を呈するが、回転片１３８の他方の端部が移動具１３６の連結端１３６ａにピン結合されることにより回転片１３８は回転運動可能になる。このような回転片１３８はオンボタン１４の前後方向の摺動動作及び開閉ユニット４０をなすロックバー６０の前後進により回転運動することになる。このために、回転片１３８は他方の端部の先端が外部に定まった長さだけ突出されるように連結端１３６ａにピン結合され、ロックバー６０は先端が側方向に突出されて係止爪６０ａを形成するが、オンボタン１４の前後方向の１サイクルの摺動動作とロックバー６０の前進によって回転片１３８の外部に突出された他方の端部の先端がロックバー６０の係止爪６０ａにより押されながら回転片１３８が回転することになるのである。また、回転片１３８と連結端１３６ａとの間にはトーションバネが設けられるが、このようなトーションバネは回転片１３８に弾性を与えてロックバー６０が後進して元の位置に戻った状態では回転片１３８も元の位置に戻って先端が外部に定まった長さだけ突出される元の形状になりながら回転片１３８の接触端１３８ａがオンボタン１４の摺動経路から離隔された位置に待機する状態を維持するようにする。
上記のように構成される回転片１３８はロックバー６０の前進によって一側に回転してオンボタン１４が摺動する経路上に位置することになる。そして、ロックバー６０を後進させるためにオンボタン１４がさらに前方に摺動するときに回転片１３８はオンボタン１４により押されながら移動具１３６を前進させることになる。ここで、オンボタン１４は回転片１３８に結合された接触端１３８ａを押して回転片１３８を押すことになる。
本発明の好適な第１実施形態による回転片１３８は一方の端部をなす接触端１３８ａと他方の端部が互いに分離されてピン結合されたものであり、これにより、接触端１３８ａは回転片１３８の他方の端部に対して回転可能になる。ここで、回転片１３８は他方の端部に「Ｌ」字状のストッパー１３８ｂが形成されるようにする一方、接触端１３８ａと回転片１３８の他方の端部との間に圧縮バネ１３８ｃが設けられるようにするが、これは、上述したように、互いに分離されて結合される接触端１３８ａと回転片１３８の他方の端部が全体的に「Ｌ」字状を維持できるようにするためのものであり、圧縮バネ１３８ｃにより引っ張られる接触端１３８ａが回転片１３８の他方の端部に形成されたストッパー１３８ｂに密着されながら回転片１３８が全体的に「Ｌ」字状を維持することになり、且つ、ストッパー１３８ｂはオンボタン１４の経路上にある接触端１３８ａをオンボタン１４が押すときに強固に支持されるようにする役割を果たす。一方、圧縮バネ１３８ｃの代わりに、回転片１３８は、一方の端部をなす接触端１３８ａと他方の端部との間にピン結合されると共に、トーションバネを備えてもよい。ロックバー６０を前進させるときにオンボタン１４の外周面に密着される接触端１３８ａの一方の先端がオンボタン１４の後進（元の位置）摺動する運動を干渉しないように回転片１３８と接触端１３８ａとの間に圧縮バネ１３８ｃまたはトーションバネが設けられて弾性力を持たせるのである。本発明の好適な第１実施形態による回転片１３８の他方の端部と接触端１３８ａが弾性的に回転運動可能になるに伴い、オンボタン１４とロックバー６０が前進して回転片１３８がオンボタン１４の摺動経路方向に回転するときには回転片１３８はオンボタン１４の外周面に密着されながら一字状を呈することが可能になり、オンボタン１４が後進して元の位置に戻ると、弾性的に接触端１３８ａが引っ張られながらさらに回転片１３８が「Ｌ」字状を呈してオンボタン１４の前進摺動時にオンボタン１４と接触端１３８ａが互いに接触可能になる。
オフバー１３４はハウジング１２に設けられる固定台１３２に垂直に形成された回転軸１３２ａに中央部が水平回転可能に挿入されて一定の範囲において回転運動をするものであり、トーションバネを備えて復元力を与えることも好ましく、オフバー１３４の一方の側は移動具１３６の押下端１３６ｃと連動されるようにし、オフバー１３４の他方の側は開閉ユニット４０の解除片５８と連動されるようにする。これにより、接触端１３８ａと接触するオンボタン１４により移動具１３６が前進すると、移動具１３６の押下端１３６ｃがオフバー１３４の一方の側を押してオフバー１３４が固定台１３２の回転軸１３２ａを中心に回転し、これと同時に回転するオフバー１３４の他方の側が開閉ユニット４０の解除片５８を作動させてロックバー６０が後進することにより接点されている入力端子２２、２４と開閉端子４２、４４が同時に互いに分離されることになる。このため、上述したオンボタン１４は前後方向に摺動する一回のサイクルが繰り返される度にスイッチ１０はＯＮ／ＯＦＦを交互に行う。
そして、リモートモジュール１４０は、コントローラ１４４、センサー１４２、アクチュエータ１４６を備えてなる。ここで、コントローラ１４４は開閉ユニット４０及び遅延ユニット８０の作動により内部に印加される電源を供給されて作動し、遠隔無線制御及び自動制御を行う。センサー１４２はコントローラ１４４と接続されて遠隔無線信号を受信する。また、コントローラ１４４は電気製品の内部回路の信号指令を受信するように内部回路と電線連結（図示せず）されてもよい。アクチュエータ１４６は代表的に電磁石が使用（この場合、上述した解除片５８を作動させるオフバー１３４としては磁性に反応する金属材質のものが使用される）可能であるが、コントローラ１４４の制御によりオフバー１３４の一方の側を引っ張って上述したように開閉ユニット４０の解除片５８を作動させて接点されている第２開閉端子４４及び第１開閉端子４２と第２入力端子２４及び第１入力端子２２を同時に分離する動作を行う。このようなオフユニット１１０は電源が供給される状態で作動されるため、リモートコントロール制御など自動制御が可能である。
このような構成によって、本発明の好適な第１実施形態によるスイッチ１０において、出力端子台１００はハウジング１２内において開閉ユニット４０の第２開閉端子４４と電気的に接続されて電気製品の内側に延びる内部電源ライン５の第２電線７と接続される第２出力端子１０４を有し、ハウジング１２内において開閉ユニット４０の第１開閉端子４２と電気的に接続されて電気製品の内側に延びる内部電源ライン５の第１電線６と接続される第１出力端子１０２を有する。
一方、本発明の好適な第１実施形態によるスイッチ１０において、遅延ユニット８０は、上述した構成ではなく、図２０から図２２に示す本発明の好適な第４実施形態による遅延ユニット８０の構成を有してもよいが、このような遅延ユニット８０は一方の側がハウジング１２から離隔されて空間を有するようにハウジング１２に結合され、第２開閉端子４４が結合される支持ブロック８６と、第２入力端子２４が固定されるように結合され、支持プレート８４ｂの下側において支持ブロック８６にヒンジ結合されて回動可能であり、回動後に元の位置に戻るようにバネが結合される遅延プレート８４と、一方の端がオンボタン１４の側面の一側に突出されるように結合して折り曲げられてオンボタン１４と平行となり、他方の端が前記遅延プレート８４の隣に位置して、オンボタン１４が押されて先に遅延プレート８４を回転させて第２出力端子１０４と第２入力端子２４が電気的に接続されないようにし、開閉ユニット４０が作動されて第１開閉端子４２が第１入力端子２２と接点されて第１出力端子１０２と第１入力端子２２が電気的に接続された後、オンボタン１４が元の位置に戻るときに遅延プレート８４を元の位置に回転させて第２開閉端子４４と第２入力端子２４が接点されて第２出力端子１０４と第２入力端子２４が電気的に接続されるようにする遅延バー８２と、を備える。
図１１は、本発明の好適な第２実施形態による待機電力遮断用スイッチの要部を説明するための斜視図であり、図１２および図１３は、図１１の待機電力遮断用スイッチにおけるオフユニットの主な構成を説明するための斜視図であり、図１４から図１７は、図１１の待機電力遮断用スイッチの作動機構を順次に説明するための図であり、図１８は、本発明の好適な第３実施形態による待機電力遮断用スイッチの要部を説明するための斜視図であり、図１９は、図１８の待機電力遮断用スイッチの作動機構を順次に説明するための図である。
本発明の好適な第２実施形態によるスイッチ１０と第３実施形態によるスイッチ１０は、上述した第１実施形態のように、ハウジング１２、オンボタン１４、入力端子台（２０、図１参照）、開閉ユニット（４０、図１参照）、遅延ユニット８０、出力端子台１００及びオフユニット１１０を備えてなる。このとき、本発明の好適な第２実施形態と第３実施形態によるスイッチ１０はオフユニット１１０を除く全ての構成及び作用は上述した第１実施形態と同様であるため、これについての詳細な説明は省く。
このような本発明の好適な第２実施形態によるオフユニット１１０は、第１実施形態によるオフユニット１１０とは異なり、図１１から図１３に示すように、接触端１３８ａと回転片１３８の他方の端部が互いに一体に形成されて回転片１３８をなしている。そして、オンボタン１４の先端部に押下片１４ｂが回転後に戻り運動可能にピン及びトーションバネにより結合されている。これにより、図１４に示すように、オンボタン１４がロックバー６０を前進させた後に元の位置に戻るとき、ロックバー６０の前進によりオンボタン１４が摺動する経路上に位置することになった回転片１３８の接触端１３８ａとオンボタン１４の押下片１４ｂが互いに接触すると、押下片１４ｂが接触端１３８ａと干渉しない方向に回転されるように構成されることにより、オンボタン１４は回転片１３８の干渉なしに元の位置に戻ることが可能になる。一方、オンボタン１４がロックバー６０を後進させるために、図１６及び１７に示すようにさらに前方に摺動するときには、押下片１４ｂがオンボタン１４の先端部により支持されることにより回転なしに自分の位置を維持した状態で回転片１３８の接触端１３８ａと接触して回転片１３８を押し出すことになる。ここで、オンボタン１４の押下片１４ｂと回転片１３８の接触端１３８ａの接触面には歯車状の凹凸が形成されて押下片１４ｂと接触端１３８ａが互いに安定的に噛み合うようにする。
次に、本発明の好適な第３実施形態によるオフユニット１１０は、上述した第１実施形態によるオフユニット１１０及び第２実施形態によるオフユニット１１０とは異なり、オフ用関節機構１３０の代わりにオフボタン１２０が設けられている。
このようなオフボタン１２０は、図１８及び図１９を参照すると、ハウジング１２に摺動可能に結合されてユーザーにより押されたときにオフバー１３４をして開閉ユニット４０を作動せしめて接点されている第２開閉端子４４及び第１開閉端子４２と第２入力端子２４及び第１入力端子２２を同時に開放した後に元の位置に戻る。このようなオフボタン１２０は、上述したオンボタン１４と同様に、ハウジング１２に支持されるバネ１２４により弾性的に動くように設けられる。このようにオフユニット１１０と連携された開閉ユニット４０の解除片５８を作動させるオフバー１３４はハウジング１２に固定される固定台１３２にピン及びトーションバネなどにより左右回動可能に設けられることにより、図１９の（ｄ）に示すように、オフボタン１２０によりオフバー１３４の一方の側が押される場合、固定台１３２を中心に回動されて解除片５８を押すことになり、解除片５８は第２孔５６の先端に位置する第２ストッパー６８を押すことによりプレッシングバー７０を支持するバネ７８の弾性力によりオンボタン１４の方向に第２孔５６のロックバー６０のサブロッド６４の第１ストッパー６６がサポートバレル５０の第２孔５６において解除されて第１孔５４に係止され、サブロッド６４の第２ストッパー６８がサポートバレル５０の第２孔５６の他側の先端に係止されるようにして元の位置に戻る（図１９の（ａ））。
このようなオフユニット１１０は、オフボタン１２０とリモートモジュール１４０を同時に使用したり、両方のうちどちらか一方を選択的に使用して構成することができる。
そして、上述したように、オフユニット１１０にオフボタン１２０を設ける場合、オンボタン１４とオフボタン１２０が通常のオン／オフスイッチと同じ構造を有するように構成することができる。
他方、本発明の好適な第３実施形態によるスイッチ１０は、本発明の好適な第１実施形態と第２実施形態によるスイッチ１０とは異なり、遅延ユニット８０をなす第２遅延ブラケット８１ｂを固定するための支持ブロック９０をオンボタン１４が摺動する経路上に設けるが、これにより、支持ブロック９０がオンボタン１４を通過させる孔９２を形成することになる。
図２０は、本発明の好適な第４実施形態による待機電力遮断用スイッチの要部を説明するための斜視図であり、図２１は、図２０の待機電力遮断用スイッチにおける遅延ユニットの主な構成を説明するための分解斜視図であり、図２２は、図２０の待機電力遮断用スイッチの作動機構を順次に説明するための図である。
本発明の好適な第４実施形態によるスイッチ１０は、上述した第３実施形態と同様に、ハウジング１２、オンボタン１４、入力端子台２０、開閉ユニット４０、遅延ユニット８０、出力端子台１００及びオフユニット１１０を備えてなる。このとき、本発明の好適な第４実施形態によるスイッチ１０は、遅延ユニット８０を除く全ての構成及び作用は上述した第３実施形態と同様であるため、これについての詳細な説明は省く。
本発明の第４実施形態において、遅延ユニット８０は、図２０及び図２１に示すように、支持ブロック８６、遅延プレート８４及び遅延バー８２を備えてなる。ここで、支持ブロック８６は一方の側がハウジング１２から離隔されて空間を有するようにハウジング１２に結合され、第２開閉端子４４が結合される。そして、遅延プレート８４は第２入力端子２４が固定されて結合され、支持プレート８４ｂの下側において支持ブロック８６にヒンジ結合８７されて回動可能に結合され、トーションバネにより元の位置に戻るようにする。
遅延バー８２は一方の端がオンボタン１４に一体に結合され、オンボタン１４と平行な遅延バー８２の他方の端が遅延プレート８４の隣に位置してオンボタン１４の作動時に支持プレート８４ｂを押して遅延プレート８４を回転させる。
このような遅延ユニット８０は、上述したように、オンボタン１４が押されて、図７に示すように、まずオンボタン１４の遅延バー８２が遅延プレート８４を回転させて第２入力端子２４と第２出力端子１０４を電気的に開放させ、オンボタン１４により開閉ユニット４０が作動されて開閉端子４２、４４が接点位置となって第１開閉端子４２と第１入力端子２２が接点されることにより第１入力端子２２と第１出力端子１０２が電気的に接続され、図２２の（ｃ）に示すように、オンボタン１４が元の位置に戻るときに遅延プレート８４をトーションバネにより元の位置に回転させて第２開閉端子４４に第２入力端子２４が接点されて第２出力端子１０４と第２入力端子２４が電気的に接続されるようにする。
図２３は、本発明の好適な第５実施形態による待機電力遮断用スイッチの要部を説明するための斜視図であり、図２４から図２７は、図２３の待機電力遮断用スイッチにおける開閉ユニット４０の主な構成及びその組立て状態を説明するための分解斜視図であり、図２８は、図２３の待機電力遮断用スイッチの電源をオンさせる作動機構を順次に説明するための図であり、図２９は、図２３の待機電力遮断用スイッチの電源をオフさせる作動機構を順次に説明するための図である。
図２３から図２９を参照すると、本発明の好適な第５実施形態によるスイッチ１０は、本発明の技術的思想下で一般的に知られている２極スイッチが適用される開閉機の端子開閉構造を開閉ユニット４０に適用した形態である。このような本発明の第５実施形態によるスイッチ１０は、出力端子台１００においてオフユニット１１０のリモートモジュール１４０及び電気製品本体と電線により連結されるように構成し、且つ、電気製品の内部回路の信号を受信するために電線によりリモートモジュール１４０に連結され、オンボタン１４とオフボタン１２０を電気製品に設けられるスイッチ型に構成して開閉ユニット４０及び遅延ユニット８０と連携されて作動されるように構成したものである。
さらに具体的に、本発明の第５実施形態によるスイッチ１０は、入力端子台２０の第２入力端子２４と第１入力端子２２がオンボタン１４の摺動方向と平行にハウジング１２の底面に配設される。そして、開閉ユニット４０の第２開閉端子４４と第１開閉端子４２がオンボタン１４の摺動方向と平行に配設されるが、第２開閉端子４４の一方の端はハウジング１２の底面に固定され、電線により第１遅延ブラケット８１ａと連結され、第１開閉端子４２の一方の端はハウジング１２の底面に固定されて電線により第１出力端子１０２と連結されてリモートモジュール１４０及び電気製品の内部に電気的に連結され、第２開閉端子４４及び第１開閉端子４２の他方の端はそれぞれ対応する位置において第２入力端子２４及び第１入力端子２２と離隔されるようにして弾性的に移動可能となってそれぞれ接点と開放されるように設けられる。
このような本発明の第５実施形態によるスイッチ１０において、開閉ユニット４０は、プッシュバー７６、サポーター４２０、ローテーター４３０、フック４４０、解除レバー４７０及びローダー４６０を備えてなる。このような構成は、通常、２極スイッチからなる開閉機に応用される技術的構成を本発明の技術的思想下で応用した形態である。
このような開閉ユニット４０を具体的に説明すると、プッシュバー７６はオンボタン１４の一側面に突出されるようにオンボタン１４に形成される。サポーター４２０は、図２４に示すように、プッシュバー７６が形成された位置と対応するように配置されてオンボタン１４の摺動方向と平行にハウジング１２に固定されて結合される。このようなサポーター４２０は、ハウジング１２に形成される支持ケース４１０にボルト（図示せず）により固定されるが、このような固定構造は、この分野の様々な形態を適用することができる。
そして、ローテーター４３０は、回動後に元の位置に戻すためのバネ４３４により支持されてサポーター４２０に回動可能に結合され、プッシュバー７６に係止される回動バー７６’を備えてオンボタン１４により回動される。
また、フック４４０はローテーター４３０の下側とサポーター４２０の長孔４２２を貫通した連動ピン４５０により結合されてローテーター４３０の作動と連動される。連動ピン４５０の結合のために、サポーター４２０には垂直方向に長孔４２２が形成される。このフック４４０はローテーター４３０により押されて前端に形成される折曲部４４２が下側に位置するローダー４６０を押す機能をする。そして、フック４４０の後端部４４４は解除レバー４７０の解除片１３４’の解除溝４７６に挿入されてオフユニット１１０のアクチュエータ１４６がオフバー１３４の一方の側を引っ張ってオフバー１３４の他方の側が解除片１３４’を押して挿入されたフック４４０の後端部４４４を解除させてローテーター４３０が元の状態で回動されるようにする。
そして、解除レバー４７０は下端にヒンジボス４７２が形成されてサポーター４２０にヒンジ結合され、ヒンジボス４７２からオンボタン１４の方向に延びてバネ４７８により支持される遊隙ボス４７４を有し、オフユニット１１０の方向に延びて形成される解除片１３４’を有し、フック４４０の先端（後端部４４４）が挿入されて位置する解除溝４７６が形成されてローテーター４３０が回動されたときにローテーター４３０の位置が固定されるように構成する。このような解除レバー４７０は、図２８に示すように、オンボタン１４の作動を通じて第２入力端子２４及び第１入力端子２２と第２開閉端子４４及び第１開閉端子４２が接点された状態を解除するために作用する。すなわち、電源をオンさせるとき、ローテーター４３０が係止されてその位置が固定されるようにした図２８の状態で、図２９に示すように、オフユニット１１０が作動されたときにオフユニット１１０のオフバー１２０により解除レバー４７０の解除片１３４’が後方向（オンボタン１４の前進方向に対する反対方向）に動くため、解除片１３４の解除溝４７６に挿入されたフック４４０の後端部４４４を離脱させて係止されていたローテーター４３０を解放すると共に、連動ピン４５０により力を受けて第２開閉端子４４及び第１開閉端子４２を押していたローダー４６０がバネ弾性により上昇するようにし、ローテーター４３０が元の位置に戻るようにする。
このようなサポーター４２０、ローテーター４３０、フック４４０及び解除レバー４７０は、図２５に示す状態で結合される。
さらに、ローダー４６０は、第２開閉端子４４及び第１開閉端子４２の上部に位置し、第２開閉端子４４及び第１開閉端子４２に離隔されるようにバネ４６２により弾性的に支持されて設けられ、フック４４０の下側に配置されてフック４４０により押されることにより第２開閉端子４４及び第１開閉端子４２が第２入力端子２４及び第１入力端子２２と同時接点されるようにする。
このようなローダー４６０は、上述したサポーター４２０、ローテーター４３０、フック４４０及び解除レバー４７０の結合体と共に図２６に示す状態でハウジング１２に形成される支持ケース４１０に結合される。
このような構成を通じて、図２７及び図２８に示すように、本発明の好適な第５実施形態によるスイッチ１０が設けられる電気製品に電源を入れる場合、電源がオフされた状態（図２４）でユーザーがオンボタン１４を押すと、オンボタン１４はハウジング１２に支持された状態で摺動して前方向に移動する。このような過程で、オンボタン１４に形成されたプッシュバー７６にローテーター４３０の回動バー７６’が係止されることによりローテーター４３０が回動され、フック４４０の後端部４４４は解除溝４７６に挿入されて支持され、ローテーター４３０の突起（４３２、図２４参照）に連結された連動ピン４５０によりフックの折曲部４４２は下方向に押されながらローダー４６０を押すことになり、第２開閉端子４４及び第１開閉端子４２は第２入力端子２４及び第１入力端子２２と接点される（図２８の（ｂ）に示す状態）。そして、オンボタン１４が押下の最終位置に達すると、ローテーター４３０は固定されるが、フック４４０の後端部４４４が解除レバー４７０に固定され、フック４４０の折曲部４４２が下降する伴い連動ピン４５０は互い違いの方向に立てられることにより、ローテーター４３０が回転されないようにし、ローテーター４３０が元の位置に戻る回転力よりも連動ピン４５０によるフック４４０の固定力が大きなため、図２８の（ｃ）に示すように、ユーザーの加圧力が除去された後にバネ（１４ａ、図２３参照）によりオンボタン１４が元の位置に戻る場合にもローダー４６０により第２開閉端子４４及び第１開閉端子４２が押され続けるようにして第２入力端子２４及び第１入力端子２２と接点状態を維持するようにする。
一方、本発明の好適な第５実施形態によるスイッチ１０の遅延ユニット８０は、図２３に示すように、遅延バー８２’、第１遅延ブラケット８１ａ、支持ブロック９０’、第２遅延ブラケット８１ｂ及び遅延ローテーター８４’を備えて、オンボタン１４を挟んで開閉ユニット４０の反対側に位置して設けられる。
このような遅延ユニット８０において、遅延バー８２’は、プッシュバー７６の反対方向に位置してオンボタン１４の一側に突出されるようにオンボタン１４に形成される。そして、第１遅延ブラケット８１ａはオンボタン１４の摺動方向に対して水平に配設されるが、一方の端がハウジング１２に固定されて電線により第２開閉端子４４と連結され、他方の端がバネ９４’により支持されてオンボタン１４の押下時に押されて弾性的に移動可能に設けられる。このとき、第１遅延ブラケット８１ａは高い通電性を有すると共に弾性を有する金属材質（例、銅）の環状の板状であることが好ましい。支持ブロック９０’はハウジング１２から離隔されて空間を有するようにハウジング１２に結合される。そして、第２遅延ブラケット８１ｂは第１遅延ブラケット８１ａと当接するように支持ブロック９０’の上側に結合されて設けられ、電線により第２出力端子１０４及びリモートモジュール１４０と接続される。このとき、第２遅延ブラケット８１ｂは、高い通電性を有する金属（例、銅）の板状であることが好ましい。また、遅延ローテーター８４’はボディ８４’ａから側方向に突出されて第１遅延ブラケット８１ａを押すように形成されるプッシュラグ８４’ｂと、ボディ８４’ａから側方向に突出されてオンボタン１４により押されるように形成されるローテーティングラグ８４’ｃと、を有する。このとき、遅延ローテーター８４’のボディ８４’ａの回転中心の一側はボディ８４’を元の位置に回転させ、ハウジング１２に支持されて設けられるバネブロック８５に連結バーにより回動可能に固定結合され、遅延ローテーター８４’はバネブロック８５の隣においてハウジング１２に固定されるサポートバー８９により支持される。このとき、バネブロック８５には弾性力を有する渦巻バネを備えることも好ましい。
このような構成を有する遅延ユニット８０は、オンボタン１４が押されるときに、図２８の（ｂ）に示すように、開閉ユニット４０よりもオンボタンに近く設けられてまず第１遅延ブラケット８１ａと第２遅延ブラケット８１ｂが開放された後、第２開閉端子４４と第１開閉端子４２が第２入力端子２４及び第１入力端子２２と同時接点されるようにし、図２８の（ｃ）に示すように、オンボタン１４が元の位置に戻るとき、バネブロック８５により遅延ローテーター８４’のボディ８４’ａを元の位置に戻して第１遅延ブラケット８１ａと第２遅延ブラケット８１ｂが接点されるようにすることにより、電気製品本体の電源ライン５及びリモートモジュール１４０に２極が同時に接続されることなく順次に接続されるようにする。
一方、本発明の好適な第５実施形態によるスイッチ１０において、オフユニット１１０の構成及びそれによる電源のオフは上述した実施形態によるオフユニット１１０と同様に図２９に示す通りであるため、その詳細な説明は省く。
上述したように、本発明の好適な実施形態による待機電力遮断用スイッチを上述した説明及び図面に基づいて説明したが、これは例示的なものに過ぎず、本発明の技術的思想を逸脱しない範囲内において種々の変化及び変更が可能であるということをこの分野の通常の技術者はよく理解できるであろう。
上述した目的を達成するために、本発明の特徴によれば、本発明は、電気製品に設けられてオフ時にプラグ１を介して印加される外部電源を完全遮断せしめるための待機電力遮断用スイッチにおいて、前記電気製品に固定されるハウジング１２と、前記ハウジング１２内において前記プラグ１の第２電線３と接続される第２入力端子２４を有し、前記ハウジング１２内において前記プラグ１の第１電線２と接続される第１入力端子２２を有する入力端子台２０と、前記ハウジング１２内に設けられ、前記第２入力端子２４と接点される第２開閉端子４４を有し、前記第１入力端子２２と接点される第１開閉端子４２を有し、前記第２開閉端子４４及び第１開閉端子４２と前記第２入力端子２４及び第１入力端子２２をそれぞれ接点及び分離するための開閉ユニット４０と、前記ハウジング１２に摺動可能に結合されてユーザーにより押されたときに前記開閉ユニット４０を作動させて前記第２開閉端子４４及び第１開閉端子４２と前記第２入力端子２４及び第１入力端子２２をそれぞれ接点させた後に元の位置に戻るオンボタン１４と、前記ハウジング１２内において前記開閉ユニット４０の第２開閉端子４４と電気的に接続されて前記電気製品の内側に延びる内部電源ライン５の第２電線７と接続される第２出力端子１０４を有し、前記ハウジング１２内において前記開閉ユニット４０の第１開閉端子４２と電気的に接続されて前記電気製品の内側に延びる内部電源ライン５の第１電線６と接続される第１出力端子１０２を有する出力端子台１００と、前記ハウジング１２に設けられて前記開閉ユニット４０の第２開閉端子４４及び第１開閉端子４２が前記第２入力端子２４及び第１入力端子２２とそれぞれ接点された状態で前記開閉ユニット４０を作動させることにより、前記第２開閉端子４４及び第１開閉端子４２を前記第２入力端子２４及び第１入力端子２２とそれぞれ分離させるオフユニット１１０と、前記第２入力端子２４と第２出力端子１０４との間に設けられ、前記オンボタン１４が押されたときに前記開閉ユニット４０よりも先に作動されて前記開閉ユニット４０が作動されても前記第２入力端子２４と第２出力端子１０４が電気的に接続できないようにし、前記開閉ユニット４０が作動されて前記第１入力端子２２と第１出力端子１０２が電気的に接続された後、前記オンボタン１４が元の位置に戻るときに前記第２入力端子２４と第２出力端子１０４が電気的に接続されるようにすることにより、時間差をおいて順次に内部電源ライン５に接続されるようにする遅延ユニット８０と、を備えることを特徴とする。
このように、本発明による待機電力遮断用スイッチにおいて、前記第２入力端子２４と第１入力端子２２は前記オンボタン１４の摺動方向に対して垂直に配設され、前記第２開閉端子４４と第１開閉端子４２は前記オンボタン１４の摺動方向に対して垂直に配設されるが、前記第２開閉端子４４の一方の端は固定されて第２出力端子１０４と電気的に接続されており、他方の端は前記第２入力端子２４と対応する位置において前記第２入力端子２４と離隔されるようにして弾性的に移動可能になって接点及び分離（開放）されるように設けられ、前記第１開閉端子４２は一方の端は固定されて前記第１出力端子１０２と電気的に接続されており、他方の端は前記第１入力端子２２と対応する位置において前記第１入力端子２２と離隔されるようにして弾性的に移動可能になって接点及び分離（開放）されるように設けられ、前記開閉ユニット４０は前後に開口される中空５３が前記オンボタン１４の摺動方向に平行に配置されるように前記ハウジング１２に固定されて支持され、前記オンボタン１４が位置する前方には前記中空５３から外周縁に貫通されて平行に第１孔５４及び第２孔５６が形成されるサポートバレル５０と、メインロッド６２から一側に分岐されて形成されることにより弾性的に動くサブロッド６４を有し、前記オンボタン１４が位置する方向において前記サポートバレル５０の中空５３に摺動可能に結合され、前記サブロッド６４上に外側に突出されるように形成されて前記サポートバレル５０に結合されたときに前記第１孔５４に結合される第１ストッパー６６及び前記第２孔５６に結合される第２ストッパー６８を有し、前記オンボタン１４により押されたときに前記第１ストッパー６６及び前記第２ストッパー６８が前記第２孔５６に一緒に結合されることにより位置が固定されるロックバー６０と、カラム７２の下側に前記第２開閉端子４４と第１開閉端子４２を押すように外側に突出されて形成されるローダー７４を有し、一側が前記ロックバー６０の反対側において前記サポートバレル５０の中空５３に摺動可能に結合され、他側が前記ハウジング１２に支持されるバネ７８により支持されるプレッシングバー７０と、を備え、前記サポートバレル５０の第２孔５６の隣の個所に取り付けられていて第２孔に載置された第１ストッパー６６及び第２ストッパー６８中に第２ストッパー６８を押してロックバー６０が後退して第１孔５４にサブロッド６４の第１ストッパー６６が載置されるようにし、ヒンジ運動され、回動後に元の位置に戻るようにバネが取り付けられた解除片５８を備え、前記遅延ユニット８０は前記サポートバレル５０とオンボタン１４との間に位置して前記オンボタン１４の摺動方向に対して水平に配設されるが、一方の端が前記ハウジング１２に固定されて前記第２開閉端子４４と電線により接続され、他方の端が前記オンボタン１４の押下時に押されて弾性的に移動可能に設けられて第２遅延ブラケットと接点及び分離（開放）される第１遅延ブラケット８１ａと、前記第１遅延ブラケット８１ａとサポートバレル５０との間に位置して前記ハウジング１２に固設される支持ブロック９０と、前記第１遅延ブラケット８１ａと当接するように前記支持ブロック９０の上側に結合されて配設され、前記第２出力端子１０４と電気的に接続される第２遅延ブラケット８１ｂと、を備えて、前記オンボタン１４が押されて前進する方向に摺動するときに先に接点された前記第１遅延ブラケット８１ａと第２遅延ブラケット８１ｂが分離されて前記第２出力端子１０４と第２入力端子２４が電気的に分離された状態で、前記開閉ユニット４０が作動されて前記第２開閉端子４４及び第１開閉端子４２が前記第２入力端子２４及び第１入力端子２２とそれぞれ接点されて前記第１出力端子１０２と前記第１入力端子２２が電気的に接続された後、前記オンボタン１４が後進する方向に摺動して元の位置に戻るときに前記第１遅延ブラケット８１ａと第２遅延ブラケット８１ｂが接点されて前記第２出力端子１０４と第２入力端子２４が電気的に接続されるようにすることを特徴とする。
このように、本発明による待機電力遮断用スイッチにおいて、前記オフユニット１１０は前記オンボタン１４が摺動する経路において離隔された位置に設けられるが、一側の先端部に形成された回転片１３８が前記オンボタン１４の前後方向の１サイクルの摺動動作と前記開閉ユニット４０をなすロックバー６０の前進によって前記オンボタン１４が摺動する経路上に位置して前記オンボタン１４により押されながら他側の先端部がオフバー１３４の一側を押して前記オフバー１３４の他側が前記開閉ユニット４０を作動させて接点された前記第２開閉端子４４及び第１開閉端子４２と前記第２入力端子２４及び第１入力端子２２を同時に分離するオフ用関節機構１３０であることを特徴とする。
このように、本発明による待機電力遮断用スイッチにおいて、前記オフ用関節機構１３０は前記開閉ユニット４０の一側に互いに離隔されるように設けられ、上端に支持孔１３３ａ、１３３ａ’が形成された一対の支持台１３３、１３３’と、棒状を呈する胴体端１３６ｂの両端部の側面に互いに反対方向を向いて突出された連結端１３６ａと押下端１３６ｃがそれぞれ形成され、前記一対の支持台１３３、１３３’の支持孔１３３ａ、１３３ａ’にそれぞれ貫通するように挿入される前記押下端１３６ｃと連結端１３６ａにより支持されて水平移動が可能となり、前記押下端１３６ｃが挿入され、前記胴体端１３６ｂと前記支持台１３３との間に位置するバネにより復元力が与えられる移動具１３６と、一方の端部が一側に折れ曲がって接触端１３８ａを形成する「Ｌ」字状を呈し、他方の端部が前記移動具１３６の連結端１３６ａにピン結合されて回転運動時に前記接触端１３８ａを前記オンボタン１４の摺動経路上に位置せしめる回転片１３８と、前記ハウジング１２に設けられる固定台１３２に垂直に形成された回転軸１３２ａに中央部が挿入されて回転可能になるが、一方の端部が前記移動具１３６の押下端１３６ｃにより押されながら他方の端部が前記開閉ユニット４０の解除片５８を押して前記ロックバー６０が後進するようにするオフバー１３４と、からなるが、前記開閉ユニット４０のロックバー６０は先端が側方向に突出されて係止爪６０ａを形成し、前記回転片１３８は他方の端部の先端が外部に定まった長さだけ突出されるように前記連結端１３６ａにピン結合され、前記回転片１３８と前記連結端１３６ａとの間にトーションバネが設けられて前記回転片１３８の接触端１３８ａは前記トーションバネの弾性により前記オンボタン１４が摺動する経路において離隔された位置に待機するようにする一方、外部に突出される前記回転片１３８の他方の端部先端は前記オンボタン１４の摺動動作により前進する前記ロックバー６０の係止爪６０ａにより押されながら前記回転片１３８の接触端１３８ａが前記オンボタン１４の摺動経路上に位置するようにすることを特徴とする。
このように、本発明による待機電力遮断用スイッチにおいて、前記回転片１３８は一方の端部をなす接触端１３８ａと他方の端部が互いにピン結合され、前記接触端１３８ａと他方の端部との間に圧縮バネ１３８ｃが設けられるが、前記回転片１３８の他方の端部に「Ｌ」字状のストッパー１３８ｂが形成されて前記ロックバー６０を前進させるための前記オンボタン１４の摺動動作時には前記接触端１３８ａが回転して前記オンボタン１４と前記接触端１３８ａが互いに干渉しないようにし、前記ロックバー６０の後進のための前記オンボタン１４の摺動動作時には前記回転片１３８が「Ｌ」字状に定位置となって前記オンボタン１４が摺動する経路上に前記接触端１３８ａが位置するようにすることを特徴とする。
このように、本発明による待機電力遮断用スイッチにおいて、前記回転片１３８は前記一方の端部をなす接触端１３８ａと他方の端部が一体に形成され、前記オンボタン１４は先端部に押下片１４ｂがピン及びトーションバネにより結合されて前記接触端１３８ａと接触して前記回転片１３８を押すようにするが、互いに接触する前記接触端１３８ａと押下片１４ｂの接触面には歯車状の凹凸が形成されて噛み合うようにしてもよい。
このように、本発明による待機電力遮断用スイッチにおいて、前記オフユニット１１０は、前記ハウジング１２に摺動可能に結合されてユーザーにより押されたときにオフバー１３４の一側を押して他側が前記開閉ユニット４０を作動させて接点された前記第２開閉端子４４及び第１開閉端子４２と前記第２入力端子２４及び第１入力端子２２を同時に分離されるようにした後、元の位置に戻るオフボタン１２０を備えることを特徴とする。
このように、本発明による待機電力遮断用スイッチにおいて、前記オフユニット１１０は、前記開閉ユニット４０及び遅延ユニット８０を介して内部に印加される電源を供給されて作動し、遠隔無線制御を行うためのコントローラ１４４と、前記コントローラ１４４と接続されて遠隔無線信号を受信するセンサー１４２と、電気製品の内部回路の信号を受信できるように電気的に連結された前記コントローラ１４４の制御によりオフバー１３４の一側を引っ張って他側が前記開閉ユニット４０を作動させて接点された前記第２開閉端子４４及び第１開閉端子４２と前記第２入力端子２４及び第１入力端子２２を同時に分離する動作を行うアクチュエータ１４６と、を有するリモートモジュール１４０をさらに備えていてもよい。
一方、本発明による待機電力遮断用スイッチは、上述とは異なり、前記遅延ユニット８０は一側が前記ハウジング１２から離隔されて空間を有するように前記ハウジング１２に結合され、前記第２開閉端子４４が結合される支持ブロック８６と、前記第２入力端子２４が固定されるように結合され、支持プレート８４ｂの下側に前記支持ブロック８６にヒンジ結合されて回動可能であり、回動後に元の位置に戻るようにバネが結合される遅延プレート８４と、一方の端が前記オンボタン１４の側面の一側に突出するように結合して折り曲げられてオンボタン１４と平行となり、他方の端が前記遅延プレート８４の隣に位置して、前記オンボタン１４が押されて先に前記遅延プレート８４を回転させて前記第２出力端子１０４と前記第２入力端子２４が電気的に接続されないようにし、前記開閉ユニット４０が作動されて前記第１開閉端子４２が前記第１入力端子２２に接点されて前記第１出力端子１０２と前記第１入力端子２２が電気的に接続された後、前記オンボタン１４が元の位置に戻るときに前記遅延プレート８４を元の位置に回転させて前記第２開閉端子４４と前記第２入力端子２４が接点されて前記第２出力端子１０４と前記第２入力端子２４が電気的に接続されるようにする遅延バー８２を備える構成であってもよい。
【産業上の利用可能性】
【０００９】
本発明は待機電力遮断用スイッチに係り、さらに詳しくは、ＴＶ、オーディオ、コンピュータなど電気製品に直接的に組み付けられて自動制御されたオフ信号によりコンセントにプラグが接続されていてもプラグを介して印加される外部電源を機械的に完全遮断（２極遮断）することにより待機電力の消耗をなくし、電源のオン時に２極が同時接点時に発生可能なスパーク及び電気製品の電気的衝撃を防止するようにまず第１入力端子と第１出力端子が電気的に接続され、その後に第２入力端子と第２出力端子が電気的に接続されて接点が順次的となる、すなわち、２極スイッチが最終的に１極スイッチとなる待機電力遮断用スイッチに関する。
【図１】
2011503796.tif 000003
【図２】
2011503796.tif 000004
【図３】
2011503796.tif 000005
【図４】
2011503796.tif 000006
【図５】
2011503796.tif 000007
【図６】
2011503796.tif 000008
【図７】
2011503796.tif 000009
【図８】
2011503796.tif 000010
【図９】
2011503796.tif 000011
【図１０】
2011503796.tif 000012
【図１１】
2011503796.tif 000013
【図１２】
2011503796.tif 000014
【図１３】
2011503796.tif 000015
【図１４】
2011503796.tif 000016
【図１５】
2011503796.tif 000017
【図１６】
2011503796.tif 000018
【図１７】
2011503796.tif 000019
【図１８】
2011503796.tif 000020
【図１９】
2011503796.tif 000021
【図２０】
2011503796.tif 000022
【図２１】
2011503796.tif 000023
【図２２】
2011503796.tif 000024
【図２３】
2011503796.tif 000025
【図２４】
2011503796.tif 000026
【図２５】
2011503796.tif 000027
【図２６】
2011503796.tif 000028
【図２７】
2011503796.tif 000029
【図２８】
2011503796.tif 000030
【図２９】
2011503796.tif 000031
【国際調査報告】
2011503796.tif 000032
2011503796.tif 000033